(57)【要約】  本発明は、層流を持つ手術室のための空気力学的レールカバーに関する。手術ゾーンにおける層流の提供を改善するための手段を提供するために、層流を持つ手術室のための空気力学的レールカバー１０が提供される。レールカバーは少なくとも１つのカバーコンポーネント１２を備え、カバーコンポーネントはベース要素１４と、ベース要素に接続された空気ガイド面要素１６とを含む。ベース要素は、医用撮像システムの天井取り付け支持構成部の支持レールの一部に取り付けられるように構成される。空気ガイド面要素は、支持レールの一部を覆うために少なくとも一時的に取り付けられる空気ガイドを形成し、また、ベース要素の両側に位置する開始縁２０から共通の後縁２２まで延びる２つの面部分１８を備える。さらに、レールカバーコンポーネントは、医用撮像システムの天井取り付け支持構成部の支持レールに移動可能に取り付けられるように構成される。
2021506435.tif 000002
【特許請求の範囲】
【請求項１】
層流を持つ手術室のための空気力学的レールカバーであって、前記レールカバーは少なくとも１つのカバーコンポーネントを備え、前記カバーコンポーネントは、
ベース要素と、
前記ベース要素に接続された空気ガイド面要素とを備え、
前記ベース要素は、医用撮像システムの天井取り付け支持構成部の支持レールの一部に取り付けられ、
前記空気ガイド面要素は、前記支持レールの一部を覆うために少なくとも一時的に取り付けられる空気ガイドを形成し、また、前記ベース要素の両側に位置する開始縁から共通の後縁まで延びる２つの面部分を備え、
前記レールカバーコンポーネントは、前記医用撮像システムの前記天井取り付け支持構成部の前記支持レールに移動可能に取り付けられる、空気力学的レールカバー。
【請求項２】
前記レールカバーコンポーネントは、前記医用撮像システムの前記天井取り付け支持構成部の前記支持レールにスライド可能に取り付けられる、請求項１に記載の空気力学的レールカバー。
【請求項３】
前記支持レールの長手方向の各側面に沿って配置されるカバー支持ガイドレールを備えるスライドガイドレール構成部が設けられ、
前記レールカバーコンポーネントは、前記カバー支持ガイドレールからスライド可能に吊り下げられている、請求項２に記載の空気力学的レールカバー。
【請求項４】
少なくとも２つのカバーセグメントが設けられ、
調整可能なレールカバーセグメントを提供するために、少なくとも１つのカバーセグメントが一時的に変位可能な態様で前記レール上に配置可能であり、
１つのカバーセグメントは、他のカバーセグメント内に少なくとも部分的に挿入可能であり、
前記少なくとも２つのカバーセグメントは伸縮自在カバーコンポーネントを形成している、請求項１から３のいずれか一項に記載の空気力学的レールカバー。
【請求項５】
３つのカバーセグメントが設けられ、
第１の外側セグメント、中間セグメント、および第２の外側セグメントが設けられ、
前記２つの外側セグメントは、前記中間セグメントの上に動かすことができるよう、より広い断面積を有する、請求項１から４のいずれか一項に記載の空気力学的レールカバー。
【請求項６】
前記レールカバーコンポーネントは、少なくとも１つのベローズカバーセグメントを備える調整可能なレールカバーコンポーネントであり、
前記調整可能なカバーコンポーネントの一端は固定される一方、他端は変位可能であり、これにより、長さを調整可能なレールカバーコンポーネントが提供される、請求項１から５のいずれか一項に記載の空気力学的レールカバー。
【請求項７】
前記可動レールカバーコンポーネントを撮像システムのキャリッジに接続するためのカップリングが設けられ、前記キャリッジは前記支持レールに沿って移動し、前記レールカバーは前記支持レールを覆い、
前記カップリングは、前記キャリッジが前記レールカバーのカバー範囲の外に移動した場合に切り離し可能な磁気カップリングとして提供される、請求項１から６のいずれか一項に記載の空気力学的レールカバー。
【請求項８】
前記開始縁は、層流プレナムの境界領域の隣に配置され、それにより、２つの層流の場の間の中間領域が前記空気ガイド面要素によって橋渡しされ、前記後縁の下流において、前記２つの層流の場の再確立された層流が提供される、請求項１から７のいずれか一項に記載の空気力学的レールカバー。
【請求項９】
前記レールカバーセグメントの幅は前記両開始縁間の距離によって定義され、前記レールカバーセグメントの高さは、前記両開始縁によって形成される平面から共通の前記後縁までの距離によって定義され、前記幅は前記高さ以上であり、
前記２つの面部分は、
ｉ）それぞれの開始部分では、前記開始縁から、天井面の平面に対して本質的に垂直な方向に延び、及び／または
ｉｉ）それぞれの後縁部分では鋭角で合流し、及び／または
ｉｉｉ）それぞれの中間部分では、前記後縁での前記鋭角よりも広く、かつ前記開始縁での角度よりも狭い角度を有する、請求項１から８のいずれか一項に記載の空気力学的レールカバー。
【請求項１０】
医用撮像システムを備えた手術室のための層流システムであって、前記層流システムは、
少なくとも１つの層流プレナムを提供する少なくとも１つの層流吹き出し口であって、前記少なくとも１つの層流吹き出し口は患者台に向けて気流を供給し、前記層流吹き出し口の下流に、または前記層流プレナムに隣接して、医用撮像システムの天井取り付け支持構成部の支持レールが配置可能である、少なくとも１つの層流吹き出し口と、
前記支持レールの少なくとも一部を覆うための少なくとも１つのレールカバーとを備え、
前記レールカバーは、請求項１から９のいずれか一項に記載の空気力学的レールカバーとして提供される、層流システム。
【請求項１１】
前記支持レールは、前記層流吹き出し口の前記外側境界を横断し、
前記空気力学的レールカバーは少なくとも２つのセグメントを含み、そのうちの少なくとも１つは外側可動セグメントとして提供され、
前記少なくとも１つの外側可動セグメントは、前記層流吹き出し口の前記外側境界の領域に配置可能である、請求項１０に記載の層流システム。
【請求項１２】
前記空気力学的レールカバーは少なくとも３つのセグメントを備え、前記少なくとも１つの外側可動セグメントに加えて、少なくとも１つが中間セグメントを形成し、
互いに入り込むことができるよう、前記少なくとも１つの外側可動セグメントは、前記中間セグメントよりも広い断面積を有する、請求項１１に記載の層流システム。
【請求項１３】
層流を持つ手術室のための医用撮像システムであって、前記撮像システムは、
線源および検出器を備えた画像取得構成部と、
少なくとも１つの支持レール、および前記支持レールの少なくとも一部に沿って移動可能なキャリッジを備えた天井取り付け支持構成部と、
前記支持レールの少なくとも一部を覆うための少なくとも１つのレールカバーとを備え、
前記線源および前記検出器の少なくとも一方は前記キャリッジによって移動可能に支持され、前記少なくとも１つの支持レールの少なくとも一部は、層流吹き出し口の下流に、または前記層流吹き出し口によって提供される層流プレナムに隣接して配置可能であり、
前記レールカバーは、請求項１から９のいずれか一項に記載の空気力学的レールカバーとして提供される、医用撮像システム。
【請求項１４】
層流を持つ手術室構成部であって、前記構成部は、
少なくとも天井領域と、
層流システムと、
医用撮像システムとを備え、
前記層流システムは、少なくとも１つの層流プレナムを提供する少なくとも１つの層流吹き出し口を備え、前記少なくとも１つの層流吹き出し口は、患者台に向けて気流を提供し、
前記医用撮像システムは、線源および検出器を備えた画像取得構成部と、前記天井領域に取り付けられる少なくとも１つの支持レール、および前記支持レールの少なくとも一部に沿って移動可能なキャリッジを備えた支持構成部とを備え、前記線源および前記検出器の少なくとも一方は前記キャリッジによって移動可能に支持され、前記少なくとも１つの支持レールの少なくとも一部は、前記層流吹き出し口の下流に配置され、
前記支持レールの少なくとも一部を覆うための少なくとも１つのレールカバーが設けられ、
前記レールカバーは、請求項１から９のいずれか一項に記載の空気力学的レールカバーとして提供される、手術室構成部。
【請求項１５】
手術室に層流を供給する方法であって、前記方法は、
ａ）第１の層流プレナムおよび第２の層流プレナムを提供するステップであって、前記第１のプレナムおよび前記第２のプレナムは、生成平面において、層流のない領域によって互いに分離されている、ステップと、
ｂ）前記第１の層流の境界部分を、空気ガイド面の第１の面部分に沿って案内し、前記第２の層流の境界部分を、前記空気ガイド面の第２の面部分に沿って案内するステップであって、前記第１の面部分および前記第２の面部分は、それぞれ前記第１のプレナムおよび前記第２のプレナムに近い各開始縁から共通の後縁まで延びており、前記第１の面部分および前記第２の面部分、並びに前記後縁は、前記層流のない領域の一部を覆う空気ガイドを形成する、ステップとを含み、
前記レールカバーコンポーネントは、医用撮像システムの前記天井取り付け支持構成部の前記支持レールに移動可能に取り付けられる、方法。
【発明の詳細な説明】
【技術分野】
【０００１】
本発明は、層流を持つ手術室のための空気力学的レールカバー、医用撮像システムを備える手術室のための層流システム、層流を持つ手術室のための医用撮像システム、層流を持つ手術室構成部、および手術室に層流を提供するための方法に関する。
【背景技術】
【０００２】
例えば病院での手術または他の医療介入において、特に手術室内の患者領域（手術ゾーンとも呼ばれる）に関して、空気供給要件が存在する場合がある。無菌手術ゾーン内の温度、風速、相対湿度に加えて、様々な空気純度グレードに対する制限値が存在する。患者の手術中（例えば、外科手術や医療撮像処置が行われている間）に汚染された環境空気が手術ゾーンに入り、患者の身体が空気中の汚染物質にさらされるのを防ぐために、処理された空気（例えば、フィルタリング、洗浄、または滅菌された空気）が手術ゾーンに供給され得る。一例として、層流（ｌａｍｉｎａｒ  ａｉｒ  ｆｌｏｗ：ＬＡＦ）ユニットは、手術台のゾーンおよび隣接する周囲ゾーンの一部を覆うよう、天井からダウンフローを、例えば天井から患者台に向かって下向きに提供する。しかし、天井から吊り下げられた医療機器、例えばＸ線撮像システムによって、ダウンフローが影響を受けるおそれがある。一例として、ＷＯ２０１６／１１６３８９Ａ１は、下向きの層流を手術ゾーンに供給するための給気装置を開示しており、ここではさらに、キャリッジも下向きの気流を供給する。しかし、天井領域における支持構造は、依然として下向きの層流を損なう可能性がある。
【発明の概要】
【０００３】
したがって、手術ゾーンにおける層流の供給を改善するための手段を提供することへのニーズが存在し得る。
【０００４】
本発明の目的は、独立請求項の主題によって解決され、さらなる実施形態は従属請求項に組み込まれる。以下に記される本発明の側面は、層流を持つ手術室のための空気力学的レールカバー、医用撮像システムを備える手術室のための層流システム、層流を持つ手術室のための医用撮像システム、層流を持つ手術室構成部、および手術室に層流を提供するための方法にも適用されることに留意されたい。
【０００５】
本発明によれば、層流を持つ手術室のための空気力学的レールカバーが提供される。レールカバーは少なくとも１つのカバーコンポーネントを備え、カバーコンポーネントはベース要素と、ベース要素に接続された空気ガイド面要素とを含む。ベース要素は、医用撮像システムの天井取り付け支持構成部の支持レールの一部に取り付けられるように構成される。空気ガイド面要素は、支持レールの一部を覆うために少なくとも一時的に取り付けられる空気ガイドを形成し、また、ベース要素の両側に位置する開始縁から共通の後縁まで延びる２つの面部分を備える。さらに、レールカバーコンポーネントは、医用撮像システムの天井取り付け支持構成部の支持レールに移動可能に取り付けられるように構成される。
【０００６】
これは、層流の場を改善し、空間的に連続的に提供される層流のサイズを増大させる可能性を提供する。
【０００７】
空気ガイド面要素は２つの面部分を含む。面部分はそれぞれ、開始縁から後縁まで延びる。したがって、面部分は空気ガイドを形成する。
【０００８】
一例では、レールカバーコンポーネントは、支持レールに沿って移動することができるよう、支持レールに移動可能に接続される。
【０００９】
一例では、「ベース要素」および「空気ガイド面要素」という用語は、互いに取り付けられた別々の構築コンポーネントに関する。別の例では、これらの用語は、２機能コンポーネントの一体的部分に関連する。
【００１０】
一例では、例えば、支持レール構成部が単一の支持レールのみを含む場合、単一の空気力学的レールカバーが提供される。または、１つのレールまたは一対のレールのみが層流の流れの場に影響を与えている場合が考えられる。
【００１１】
好ましい例では、例えば、支持レール構成部が一対の、すなわち２つの支持レールを備える場合、一対のレールカバー（またはレールカバーのペア）が提供される。または、２つ以上のレールのうち２つのレールが層流の流れの場に影響を与えている場合が考えられる。
【００１２】
一例として、同じまたは類似する断面（すなわち、同じまたは類似する空気力学的有効表面またはプロファイル）で構成される一対のレールカバーが提供される。
【００１３】
別の例として、異なる断面（すなわち、異なる空気力学的有効表面またはプロファイル）で構成される一対のレールカバーが提供される。
【００１４】
一例によれば、レールカバーコンポーネントは、医用撮像システムの天井取り付け支持構成部の支持レールにスライド可能に取り付けられるように構成される。
【００１５】
一例によれば、スライドガイドレール構成部は、支持レールの長手方向の各側面に沿って配置されるカバー支持ガイドレールを備える。レールカバーコンポーネントは、カバー支持ガイドレールからスライド可能に吊り下げられる。
【００１６】
別の選択肢では、レールカバーコンポーネントは支持レールからスライド可能に吊り下げられる。
【００１７】
一例によれば、少なくとも２つのカバーセグメントが設けられる。調整可能なレールカバーセグメントを提供するために、少なくとも１つのカバーセグメントのうちの少なくとも１つが、一時的に変位可能な態様でレール上に配置可能である。少なくとも２つのカバーセグメントのうちの１つは、少なくとも２つのカバーセグメントのうちの他のセグメントのうちの１つに少なくとも部分的に挿入可能である。少なくとも２つのカバーセグメントは伸縮自在カバーコンポーネントを形成する。
【００１８】
一例では、２つの外側カバーセグメントの間の支持レールの領域は覆われていないままである。
【００１９】
一例によれば、３つのカバーセグメントが設けられる。第１の外側セグメント、中間セグメント、および第２の外側セグメントが設けられる。２つの外側セグメントは、中間セグメントの上に動かすことができるよう、より広い断面積を有する。
【００２０】
一例では、２つの外側セグメントはそれぞれ、中間セグメントの半分の長さを有する。
【００２１】
一例では、２つの外側セグメントおよび中間セグメントは、ガイドレールに移動可能に取り付け可能である。
【００２２】
一例では、レールカバーコンポーネントは、複数の伸縮自在カバー要素を備えた少なくとも１つの伸縮自在カバーセグメントを備える調整可能なレールカバーコンポーネントである。好ましくは、調整可能なカバーコンポーネントの一端は固定される一方、他端は変位可能であり、これにより、長さを調整可能なレールカバーコンポーネントが提供される。
【００２３】
一例では、レールカバーコンポーネントは、複数の伸縮自在カバー要素を備えた少なくとも１つの伸縮自在カバーセグメントを備える調整可能なレールカバーコンポーネントである。
【００２４】
加えて、または代替として、レールカバーコンポーネントは、少なくとも１つのベローズカバーセグメントを備える調整可能なレールカバーコンポーネントである。例えば、ベローズカバーセグメントは、ハーモニック折りたたみレールカバーとして提供される。カバーの長さは、フレキシブルなバッグのような構造、すなわち、ふいご構成のような構造の圧縮または拡張によって変更され得る。
【００２５】
一例では、２つのカバーセグメントが設けられ、そのうちの一方は、固定レールカバーセグメントを提供するために支持レールに固定取り付け可能であり、２つのカバーセグメントのうちの他方は、調整可能なレールカバーセグメントを提供するために一時的に変位可能な態様でレール上に配置可能である。
【００２６】
変位可能なカバーセグメントは、可動カバーセグメントとして、または、伸縮自在セグメント等の外形を変化させるカバーとして提供されてもよい。カバーセグメントを動かすまたは変位させることにより、さもなければカバーセグメントで覆われているガイドレールを利用することができる。しかし、レールセグメントの一部が使用されていない場合、可動カバーは層流を復元する機能を提供する。
【００２７】
好ましくは、調整可能なレールカバーセグメントは可動カバーセグメントとして提供される。可動カバーセグメントは、少なくとも部分的に固定レールカバーセグメント内に挿入可能であるか、または、固定レールカバーセグメントが少なくとも部分的に可動カバーセグメント内に挿入可能である。２つのカバーセグメントは伸縮自在カバーコンポーネントを形成する。
【００２８】
伸縮自在カバーコンポーネントは、調整可能な伸縮自在レールカバーコンポーネントとも呼ばれ得る。
【００２９】
空気力学的レールカバー（ａｅｒｏｄｙｎａｍｉｃ  ｒａｉｌ  ｃｏｖｅｒ）はＡＲＣとも呼ばれる。
【００３０】
一例では、ＡＲＣは固定された中空のピースと、わずかに小さい断面積を有する移動可能なピースとに分割されており、Ｘ線システムの長手方向キャリッジによって可動ピースが押されると、可動ピースは中空／固定ピース内に滑り込む。
【００３１】
この実施例の構成では、Ｘ線システムが配置された状態にあるとき、（天井レールによって）層流が妨げられることがない。さらに、レールカバーは、Ｘ線キャリッジがレールの全長を移動することを許容する。さらに、空気力学的カバーの固定された中空部分は、レールの端部を越えて延びており、また、可動レールカバーの移動長さを収容するのに十分な長さを有する。
【００３２】
別の例では、多段伸縮自在レールカバーが提供される。同様の形状を有する複数のセグメントがレールに沿ってスライドし、Ｘ線システムの長手方向キャリッジによって複数のセグメントが押されると、セグメントは互いの中に入り込む。一例では、２つの面部分はそれぞれ、開始縁と後縁との間に本質的に等しいガイド長を提供する。
【００３３】
一例によれば、可動レールカバーコンポーネントを撮像システムのキャリッジに接続するためのカップリングが設けられ、キャリッジは支持レールに沿って移動する。レールカバーは支持レールを覆うように構成される。カップリングは、キャリッジがレールカバーのカバー範囲の外に移動した場合に切り離し可能な磁気カップリングとして提供される。
【００３４】
キャリッジが動かされてカバーセグメントに当接すると、カバーセグメントは前方に押すだけで簡単に動かされ得る。反対方向に移動するとき、例えばターゲット位置に到達した後に戻るとき、カバーセグメントも磁気コネクタによって引き戻される。カバーセグメントが終着点に到達し、キャリッジがさらに移動すると、磁気接続が切り離される。
【００３５】
なお、磁気カップリングはオプションとして設けられることに留意されたい。また、他の着脱可能な接続メカニズムが提供される。
【００３６】
一例では、一対の支持レールの各レールの一部を覆うために２つのカバーコンポーネントが提供される。
【００３７】
一例では、２つのカバーセグメントが設けられ、そのうちの一方は、固定レールカバーセグメントを提供するために支持レールに固定取り付け可能であり、２つのカバーセグメントのうちの他方は、調整可能なレールカバーセグメントを提供するために一時的に変位可能な態様でレール上に配置可能である。ある選択肢では、調整可能なレールカバーセグメントは可動カバーセグメントとして提供される。可動カバーセグメントは、少なくとも部分的に固定レールカバーセグメント内に挿入可能であるか、または、固定レールカバーセグメントが少なくとも部分的に可動カバーセグメント内に挿入可能である（すなわち、可動カバーセグメントが固定カバーセグメントにかけて移動することができるよう、可動カバーセグメントはより広い）。２つのカバーセグメントは伸縮自在カバーコンポーネントを形成する。
【００３８】
一例によれば、開始縁は、層流プレナムの境界領域の隣に配置され、それにより、２つの層流の場の間の中間領域が空気ガイド面要素によって橋渡しされ、後縁の下流において、２つの層流の場の再確立された層流が提供される。
【００３９】
一例では、中間領域は、層流の場の層流に能動的に寄与しない領域である。例えば、中間領域は、層流プレナム場の平面において層流を提供しない遮断された領域である。
【００４０】
一例では、カバーコンポーネントは、最小１０ｃｍ〜最大５０ｃｍの範囲内、例えば２５ｃｍの下方突出寸法を有する。
【００４１】
例えば、レールカバーの高さとして２１ｃｍの高さが設けられる。
【００４２】
別の例では、突出寸法は最大２０ｃｍである。すなわち、レールカバーセグメントの最大高さは約２０ｃｍである。
【００４３】
一例によれば、レールカバーセグメントの幅は両開始縁間の距離によって定義され、レールカバーセグメントの高さは、両開始縁によって形成される平面から共通の後縁までの距離によって定義される。一例では幅は高さ以上である。
【００４４】
ある選択肢では、２つの面部分はそれぞれの開始部分において、開始縁から、天井面の平面に対して本質的に垂直な方向に延びる。他の選択肢では、追加でまたは代替的に、２つの面部分はそれぞれの後縁部分において鋭角で合流する。さらに別の選択肢では、追加でまたは代替的に、２つの面部分はそれぞれの中間部分において、後縁での鋭角よりも広く、かつ開始縁での角度よりも狭い角度を有する。
【００４５】
これらの３つの選択肢を備えた２つの面部分の形状は、幅対高さの比率への追加または代替のオプションとして提供される。
【００４６】
一例では、汚染された空気が外部からＬＡＦ領域に入っている。この場合、レールカバーは、レールがプレナムの実際の端部を横切っている、ＬＡＦエリアの境界領域に配置された複数の小セグメントの形態でレールに取り付けられる。このようにすることで、カバーは境界領域で気流を再確立し、それにより、無菌領域を汚染から隔離する気流カーテンを作成する。
【００４７】
小セグメントは、長手方向レールに沿ってＸ線システムの天井キャリッジによって押される。このためには、Ｘ線システムの最大移動距離を同じに維持するために、あるいはその範囲の一部を犠牲にするために、レールカバーセグメントの長さだけ、天井レールを延長する必要がある。
【００４８】
一例では、一対の支持レールの各レールの一部を覆うために２つのカバーコンポーネントが提供される。
【００４９】
本発明によれば、さらに、医用撮像システムを備えた手術室のための層流システムが提供される。気流システムは、少なくとも１つの層流プレナムを提供するように構成された少なくとも１つの層流吹き出し口を備える。少なくとも１つの層流吹き出し口は、患者台に向かう気流を提供するように構成される。医用撮像システムの天井取り付け支持構成部の支持レールは、層流吹き出し口の下流に、または層流プレナムに隣接して配置可能である。支持レールの少なくとも一部を覆うための少なくとも１つのレールカバーが設けられる。レールカバーは、上記実施例のうちの１つに係る空気力学的レールカバーとして提供される。
【００５０】
一例によれば、支持レールは、層流吹き出し口の外側境界を横断する。空気力学的レールカバーは少なくとも２つのセグメントを含み、そのうちの少なくとも１つは外側可動セグメントとして提供される。少なくとも１つの外側可動セグメントは、層流吹き出し口の外側境界の領域に配置可能である。
【００５１】
一例によれば、空気力学的レールカバーは少なくとも３つのセグメントを含む。少なくとも１つの２つの外側可動セグメントに加えて、少なくとも１つが中間セグメントを形成する。さらに、少なくとも１つの外側可動セグメントが中間可動セグメントの上に移動することができるよう、少なくとも１つの外側可動セグメントは、中間セグメントよりも広い断面積を有する。
【００５２】
本発明によれば、さらに、層流を持つ手術室のための医用撮像システムが提供される。撮像システムは、線源および検出器を備えた画像取得構成部と、少なくとも１つの支持レールおよび支持レールの少なくとも一部に沿って移動可能なキャリッジを備えた天井取り付け支持構成部と、支持レールの少なくとも一部を覆うための少なくとも１つのレールカバーとを備える。線源および検出器の少なくとも一方は、キャリッジによって移動可能に支持される。少なくとも１つの支持レールの少なくとも一部は、層流吹き出し口の下流に、または層流吹き出し口によって提供される層流プレナムに隣接して配置可能である。レールカバーは、上記実施例のうちの１つに係る空気力学的レールカバーとして提供される。
【００５３】
本発明によれば、さらに、層流を持つ手術室構成部が提供される。この構成部は、少なくとも天井領域と、層流システムと、医用画像システムとを含む。層流システムは、少なくとも１つの層流プレナムを提供するように構成された少なくとも１つの層流吹き出し口を備える。少なくとも１つの層流吹き出し口は、患者台に向かう気流を提供するように構成される。医用撮像システムは、線源および検出器を備えた画像取得構成部と、天井領域に取り付けられた少なくとも１つの支持レール、および支持レールの少なくとも一部に沿って移動可能なキャリッジを備えた支持構成部とを備える。線源および検出器の少なくとも一方は、キャリッジによって移動可能に支持される。さらに、少なくとも１つの支持レールの少なくとも一部は層流吹き出し口の下流に配置される。支持レールの少なくとも一部を覆うための少なくとも１つのレールカバーが提供される。レールカバーは、上記実施例のうちの１つに係る空気力学的レールカバーとして提供される。
【００５４】
本発明によれば、さらに、手術室に層流を提供する方法が提供される。方法は以下のステップを含む。
ａ）第１の層流プレナムおよび第２の層流プレナムを提供するステップ。第１のプレナムおよび第２のプレナムは、層流のない領域によって互いに分離されている。
ｂ）第１の層流の境界部分を、空気ガイド面の第１の面部分に沿って案内し、第２の層流の境界部分を、空気ガイド面の第２の面部分に沿って案内するステップ。第１の面部分および第２の面部分は、それぞれ第１のプレナムおよび第２のプレナムに近い各開始縁から共通の後縁まで延びており、第１の面部分および第２の面部分、並びに後縁は、層流のない領域の一部を覆う空気ガイドを形成する。レールカバーコンポーネントは、医用撮像システムの天井取り付け支持構成部の支持レールに移動可能に取り付けられるように構成される。
【００５５】
一側面によれば、層流の場の中に配置されるレール等のコンポーネント上に配置されるカバーが提供される。カバーは共通の辺で合流する２つの側面を有し、２つの側方層流をガイドして共通の層流を形成する。したがって、各ガイド面は、共通の層流の場を修復または生成する。配置のためにレール沿いに機器が移動することを依然として許容する調整可能なカバーとするために、カバーはレールに沿って移動可能である。
【００５６】
一例では、２つの側面は、隣接する２つの層流へのガイドを提供するために、表面の向きにおいて滑らかな複数の遷移部分を提供するくさび状のカバーを形成する。層流が表面に沿って通過するように、隣接する層流にさらされる各表面は類似する、例えば平行な向きを有する。方向は急激には変化せず、複数の緩やかな変化、例えば複数の接線的遷移部分によって変化する。気流は輪郭に追従するため、誘導される。誘導はカバーの両側で起こるので、２つの気流は共通の後縁に向けられ、後縁において、２つの気流が１つの共通の気流に結合される。その結果、レールによって引き起こされる分離や乱流が気流の場からなくなる。周囲から層流への汚染された空気の引き込みが防止されるか、または少なくとも最小限に抑えられる。カバーがない場合、レールの領域に負圧ゾーンが発生し、負圧により周囲から（汚染された）空気が引き込まれる。
【００５７】
レールカバーは、常に両側の気流を互いに近づくよう導くことによって負圧を回避する。急激な低圧ゾーンの代わりに、２つの気流は滑らかかつ連続的な態様で分配され、共通の層流の場を形成する。
【００５８】
本発明の上記および他の側面は、以下に記載される実施形態を参照しながら説明され、明らかになるであろう。
【図面の簡単な説明】
【００５９】
本発明の例示的な実施形態を、以下の図面を参照して説明する。
【００６０】
【図１ａ−１ｂ】図１ａおよび図１ｂはレールカバーの例を示す。
【図２】図２は、レールカバーの例の断面図を示す。
【図３】図３は、手術室内の支持レールに取り付けられたレールカバーセグメントの例の斜視図を示す。
【図４】図４は、層流プレナムの境界領域におけるレールカバーセグメントの例のさらなる斜視図を示す。
【図５】図５は、層流システムおよび医用撮像システムを備えた手術室構成部の上面図を概略的に示す。空気力学的レールカバーを備えたレール構成部が設けられる。
【図６ａ−６ｂ】図６ａおよび図６ｂは、空気力学的レールカバーによって層流の調整可能なカバーをもたらすレールカバーを備えたレール構成部を示す。図６ａは、第１のポジションにあるＸ線撮像システムのためのキャリッジを示し、図６ｂは、各カバーセグメントの位置が変更された第２のポジションにあるキャリッジを示す。
【図７】図７は、医用撮像システムおよび層流システムを備えた手術室の斜視図を概略的に示す。
【図８】図８は、気流場シミュレーションの垂直断面図であり、天井取り付けレールに部分的に配置された２つのレールカバーがともに示されている。
【図９】図９は、手術室のために層流を提供する方法の例の基本的なステップを示す。
【図１０】図１０は、カバー支持のためのスライドガイドレール構成部を備えた実施例の断面図を示す。
【図１１】図１１は、キャリッジ、および各支持レールに２つのカバーセグメントを備えた撮像システムの天井支持レールの底面図を示す。
【図１２】図１２は、キャリッジ、および各支持レールに３つのカバーセグメントを備えた撮像システムの天井支持レールの底面図を示す。
【図１３】図１３は図１２の例の斜視図を示す。
【発明を実施するための形態】
【００６１】
図１ａは、層流を持つ手術室のための空気力学的レールカバー１０を示す。レールカバー１０は、少なくとも１つのカバーコンポーネント１２を含む。カバーコンポーネント１２は、ベース要素１４と、ベース要素１４に接続された空気ガイド面要素１６とを含む。ベース要素１４は、医用撮像システムの天井取り付け支持構成部の支持レールの一部に取り付けられるように構成されている。空気ガイド面要素１６は、支持レールの一部を覆うために少なくとも一時的に取り付けられる空気ガイドを形成し、ベース要素の両側の開始縁２０から共通の後縁まで延びる２つの面部分１８を備える。レールカバーコンポーネントは、医用撮像システムの天井取り付け支持構成部の支持レールに移動可能に取り付けられるように構成される。
【００６２】
レールカバーコンポーネントは、支持レールに沿って移動することができるよう、支持レールに可動接続される。
【００６３】
任意選択的に、ベース要素１４および空気ガイド面要素１６は一体的に提供される。したがって、面要素はカバーコンポーネント１２と合体される。
【００６４】
層流は下向きの層流として、例えば、手術台の上方から下向きの、例えば垂直方向の層流として提供されてもよい。
【００６５】
実施例では１つのレールカバーコンポーネントが示されている。しかし、他の例では、例えば一対のレールの一部を覆うために、２つ以上のカバーコンポーネントが提供される。
【００６６】
図１ａ、図１Ｂ、および図２では、レールカバーセグメント自体の詳細を説明するために単一のレールカバーコンポーネントが示されている。
【００６７】
図３は、天井領域に一対の支持レールを備える例を示しているが、２つの支持レールのうちの１つのみがさらに強調される。第２の支持レールは、第１の支持レールと平行に走る。
【００６８】
図４も同様に一対の支持レールを示しており、そのうちの１つがさらに強調および言及される。
【００６９】
ある選択肢では、一対のレールではなく、１つのレールのみが提供される。
【００７０】
他の選択肢では、単一の支持レールに沿って、または２つの支持レールのうちの１つ若しくは両方の支持レール上に２つ以上のレールカバーセグメントが提供される。
【００７１】
図７も、患者台の上に一対の支持レールがある例を示す。
【００７２】
他の例では、層流は水平方向に、または、垂直若しくは水平方向に対して傾斜した方向に提供される。
【００７３】
一例では、支持レールは層流の場（フィールド）を遮断、すなわち遮蔽し、よって、２つの隣接する層流を形成する。
【００７４】
一例では、２つの面部分は、面部分に沿った開始縁から共通の後縁までの流れの向きにおいて、２つの隣接する層流を一緒にするように構成される。
【００７５】
一例では、２つの面部分は、支持レールによって分離された２つの隣接する層流をまとめて、再確立された、すなわち再結合または結合された層流を形成するように構成される。したがって、再確立された層流は、さもなければ乱流ゾーンによって分離されるであろう２つの隣接する層流を結合することにより、気流の復元、あるいは共通の空気の生成を提供する。
【００７６】
一例では、２つの面部分はくさび状の空気ガイドを形成する。
【００７７】
例えば、層流が提供される場に１つのレールのみが配置される場合、レールカバーは１つのカバーコンポーネントを備え得る。
【００７８】
例えば、層流が提供される場に２つのレールのペアが配置される場合、レールカバーは、一対のカバーとして２つのカバーコンポーネントを備え得る。
【００７９】
一例では、一対の支持レールの各レールの一部を覆うために２つのカバーコンポーネントが提供される。
【００８０】
例えば、層流が提供される場により多くのレールが配置され、これらのレールをカバーする必要がある場合、レールカバーは３つ以上のカバーコンポーネントを含み得る。
【００８１】
ＡＲＣは空気力学的形状を有しており、妨害されない空気の通過を促すと同時に、別々のプレナムから流れてくる空気を合流させ、均一な下向きの層流の環境を作り出す。この意味で、ＡＲＣは気流スタビライザーとして機能し、複数の層流（ｌａｍｉｎａｒ  ａｉｒｆｌｏｗ：ＬＡＦ）プレナムから、層流が復元されるガイドレール下の領域への空気の段階的かつ妨害されない移行を可能にする。ＡＲＣは空気力学的な形状を有する必要があり、一例では、気流の復元を助けるために、ＡＲＣは鋭い後縁を有する液滴に似た形状を有する。実施例では、追加の気圧差を回避するために、ＡＲＣの側面は層流プレナムの端部と揃えられている。ＡＲＣの両側面の長さが類似しているため、２つの気流が後縁の端部において合流するときに圧力差が発生しない。
【００８２】
別の例では、空気力学的レールカバーは、層流の２つの場の間の分離領域に配置されるブリッジカバーとして提供される。したがって、空気力学的レールカバーは層流のないゾーンをまたぐように配置される。そのゾーンにレールが設けられてもよい。
【００８３】
空気ガイド面要素は、気流を案内することができる空気力学的表面として構成される。空気ガイド面要素は、乱流が防止されるように設計される。気流は層流として維持されるべきである。
【００８４】
層流の再確立、すなわち、共通の層流におけるギャップまたは分離の修正は、層流の外側境界層の形成を補助し、外側境界層は、制御された層流と、手術室内の周囲の空気との間の分離を提供する。したがって、手術領域内の衛生状態がさらに改善される。
【００８５】
よって、空気力学的レールカバーを設けることで、ダウンフロー領域の外側から空気が流入することを回避することができる。
【００８６】
空気力学的レールカバーの設置はさらに、患者ゾーン内の層流の復元を補助し、これは、スタッフおよび患者の安心が向上することを意味する。
【００８７】
レールカバーに基づくソリューションは、ユーザにとって完全に透明に動作するシンプルで費用効果の高いソリューションであり、すなわち、天井に取り付けられた機器に制限を課したり、動作するために病院のスタッフからの注意を必要としたりしない。
【００８８】
ハイブリッド手術室環境において天井取り付けレールシステムの少なくとも一部を覆うことは、改善された空気供給を提供する。ハイブリッド手術室（ハイブリッドＯＲ）では、手術室にはそのような天井取り付けインターベンションＸ線システムが設置され、「ハイブリッドＯＲ」となる。天井取り付けＸ線システムはレールによって吊り下げられ、その長軸に沿って移動し得る。このレールは通常、患者の真上に配置されるため、層流プレナムを横断する。
【００８９】
図１ａでは、（例えば手術室の）天井を表す天井ライン２４が示されている。さらに、レール構造２６が基本的に示されている。図１ｂは、図１ａの例を斜視図で示す。
【００９０】
図２はレールカバーの他の例の断面図を示す。ボックス２８は、矢印３０で示されるように、層流の場を供給する空気供給システムの出口を示す。さらに、輪郭３２は、層流の２つの場の間に配置されたレールセグメントを示す。空気ガイド面要素１６は、レールセグメントを覆う２つの面部分１８を備える。２つの面部分１８はそれぞれの開始部分において開始縁２０から始まり、例えば、各面部分は天井面に対して本質的に垂直な方向を有する。２つの面部分はそれぞれの後縁部分において鋭角に互いに結合する。さらに別の選択肢では、追加でまたは代替的に、２つの面部分はそれぞれの中間部分において、後縁での鋭角よりも広く、かつ開始縁での角度よりも狭い角度を有する。
【００９１】
後縁２２では、２つの面部分が結合して先端を形成し、２つの面部分の２つの端部は互いに対して小さい角度を有する。中央セクション３４では、面部分は互いに対してより広い角度であって、かつ、天井面に対してより広い角度３６で配置される。中央部は接線とも呼ばれ得る。遷移領域３８では、線形形状セグメントが、方向を徐々に変化させる接線へと変化する。
【００９２】
一例では、２つの面部分は中央部において、天井面の平面に対して３０°〜６０°の範囲の角度で延びる。例えば、中央部は、天井面に対して４０°〜５０°の範囲内の角度で、例えば４５°で延びる。一例では、中央部は互いに対して約９０°の角度を形成する。
【００９３】
「本質的に」という用語は、例えば最大＋／−１０°または最大＋／−５°の範囲の偏差を指す。
【００９４】
後縁部分の鋭角は尖った角度とも呼ばれ得る。したがって、後縁部分は、中央部よりも互いに対してより小さい角度を形成する。
【００９５】
一例では、面部分は、開始部分と中央部分との間、および中央部分と後縁部分との間に遷移部分を有する。遷移ゾーンとも呼ばれる遷移部分は、表面の向きの変化の滑らかな遷移を提供する。これは、層流の誘導および形成、すなわち層流の作成、および層流の復元、すなわち２つの隣接する層流の再結合を補助する。
【００９６】
したがって、隣接する層流の層は、矢印４０で示されるように、面部分に沿って徐々に誘導され、修復または再結合された層流をもたらす。
【００９７】
図３は、手術室内の支持レール４４に取り付けられたレールカバーセグメントの例４２の斜視図を示す。Ｘ線Ｃアームシステム４６等の撮像システムが背景に描かれている。層流のプレナム４８がレール４４の両側に配置されている。プレナムは、層流を実現するための空気吹き出し口を表す。
【００９８】
図４は、層流プレナムの境界領域におけるレールカバーセグメント５０の例のさらなる斜視図を示す。撮像システム（ここでは図示されていない）の支持レールとして機能するレール５２が示されている。層流源が天井領域に配置されている。レール５２（または、同様に配置された別の障害物）の配置に起因して、層流の場は、レール５２の片側の第１の層流プレナム５４、およびレール５２の他方の側の第２の層流プレナム５６という形態で提供される。境界領域５８は層流の場の端部として提供される。境界領域の反対側では、層流のない場６０が提供される。
【００９９】
各開始縁２０は、第１および第２の層流プレナムの境界領域に隣接して、例えば面一に（すなわち、向かい合って）配置される。レールによって遮断された２つの層流の場の間の領域（すなわち、層流プレナムの場の平面内で層流を提供しない、遮断された中間領域）は、空気ガイド面要素によって橋渡しされ、これにより、後縁の下流、すなわち下方に、２つの層流の場の再確立された層流が提供される。
【０１００】
したがって、空気力学的レールカバーの下に層流が供給され、周囲空気からの汚染された空気ではなく、清潔なまたは管理された空気を患者に提供するという形で層流の効果が改善される。
【０１０１】
一例では、開始縁は、層流プレナムの境界領域と面一に配置されるように構成される。例えば、開始縁は層流プレナムの境界領域と向かい合うように、例えば整列するように配置される。一例として、開始縁は実質的に同じ表面を形成する。
【０１０２】
「層流プレナム」という用語は、プレナムの下流に層流を生成するための空気吹き出し口が存在する平面に関する。
【０１０３】
遮断された領域は、医用撮像システムの天井取り付け支持構成部の支持レールによって生成され得る。一例では、レールは天井の下に取り付けられ、空気吹き出し口は天井面、または少なくとも吊り天井のカバーに配置される。レールは、レールに沿って撮像システムの機器をスライド可能にガイドすることができるよう、下に取り付けられている。
【０１０４】
層流が天井面ではなく壁面内の吹き出し口によって生成され、レールが壁面の前方に配置されている場合、空気力学的レールカバーはそれぞれ合わせた向きで設けられる。
【０１０５】
天井配置では、空気力学的レールカバーは下方からレールに設けられ、気流は下向き（例えば、垂直方向）に向けられる。
【０１０６】
図示されていない実施例では、２つの面部分はそれぞれ、開始縁と後縁との間に本質的に等しいガイド長を提供する。
【０１０７】
「本質的に等しい」長さという表現は、実質的に等しい長さを指す。「本質的に等しい」長さという表現は、最大＋／−２０％、例えば最大＋／−１０％、または最大＋／−５％の長さの偏差に関する。本質的に等しい長さを提供することにより、両側の表面に沿って移動する（または流れる）空気が、後縁において同じ空気速度で、または少なくともほぼ同じ空気速度で再確立される、すなわち再結合される。したがって、さもなければ層流の外部から汚染された空気を引き込むことにつながる可能性がある負圧領域が提供される。
【０１０８】
一例では、面部分は対称的に配置され、後縁は実質的対称軸を形成する。
【０１０９】
図２に選択肢として示されるさらなる例では、カバーコンポーネントは、最大５０ｃｍ、例えば２１ｃｍの下方突出寸法６２を有する。値はＸ線システムの幾何学的形状に応じて異なり得る。
【０１１０】
「下方突出寸法」という用語は、開始縁から後縁に向かう方向、例えば天井面に対して垂直な方向に関する。
【０１１１】
最大高さは、手術室（ＯＲ）ライトブーム（ｌｉｇｈｔ  ｂｏｏｍ）等の天井吊り下げシステムとの衝突を防ぐために提供される。
【０１１２】
「略」という用語は最大で＋／−１５％の偏差を指し、例えば＋／−１０％または＋／−５％である。
【０１１３】
さらに別の例では、レールカバーセグメントの幅ＷＲは両開始縁間の距離によって定義され、レールカバーセグメントの高さＨＲは、両開始縁によって形成される平面から共通の後縁までの距離によって定義される。幅ＷＲは高さＨＲ以上である。
【０１１４】
一例では、幅と高さの比率は１：１である。別の例では、比率は１より大きい、つまり高さは幅よりも小さい。別の例では、比率は１より小さい、つまり高さは幅よりも大きい。
【０１１５】
ある選択肢では、レールカバーコンポーネントは、医用撮像システムの天井取り付け支持構成部の支持レールにスライド可能に取り付けられるように構成される。
【０１１６】
一例では、ベース要素は、支持レールにスライド可能に取り付けられるように構成される。
【０１１７】
レールに沿って移動するためのスライドは、いくつかのローラーベアリングまたはガイド要素によって提供され得る。他の例では、ベース要素は、固定された態様で、医用撮像システムの天井取り付け支持構成部の支持レールに一時的に取り付けられるように構成される。
【０１１８】
例えば、可動式の空気力学的レールカバーは、天井取り付けＸ線システムによるハイブリッド手術室の層流の乱れをある意味修復する。
【０１１９】
なお、レールはダウンフローを部分的に遮断し、それ自体は乱れを引き起こして、清潔な空気と汚い空気の混合を生じさせて空気の清潔さを損なうおそれがあるが、カバーがこれを解決する。レールカバーを備えていないレールは、レールの直下に低圧領域を発生させ、この領域は層流領域の外部から空気を吸い込んで清浄な空気と「汚れた空気」を混合させる可能性がある。しかし、レールカバーが空気力学的形状でレールを覆い、低圧の発生、および結果として生じる清浄な空気と汚れた空気の混合を防ぐ。Ｘ線システムが依然として通過できるように、レールカバーは長軸に沿って移動可能である。
【０１２０】
一例では、天井取り付けＸ線システムはレール上に吊り下げられ、その長軸に沿って移動する。このレールは患者の真上に配置されるため、層流プレナムを横断する。ＬＡＦプレナムを横断する場所においてレールは空気力学的カバーで覆われているので、乱れのないダウンフロー層流が実現可能になる。同時に、Ｘ線システムのキャリッジが天井レールの全長に沿って移動できるようにしなければならないので、レールカバーを可動式にする必要がある。
【０１２１】
図５は、層流を持つ手術室構成部１００の上面図を概略的に示す。手術室構成部１００は、少なくとも天井領域１０２（さらには図示されていない）を含む。手術室構成部はさらに、層流システム１０４（同様にさらには図示されていない）および医用撮像システム１０６を含む。
【０１２２】
層流システム１０４は、少なくとも１つの層流プレナム１１０を提供するように構成された少なくとも１つの層流吹き出し口１０８を備える。
【０１２３】
医用撮像システム１０６は、線源１１４および検出器１１６を備えた画像取得構成部１１２を備える。例えば、画像取得構成部はＸ線撮像装置として提供されてもよい。さらに、医用撮像システム１０６は、天井領域に取り付けられた少なくとも１つの支持レール１２０と、支持レール１２０の少なくとも一部に沿って移動可能なキャリッジ１２２とを備えた支持構成部１１８を備える。線源および検出器の少なくとも一方は、キャリッジによって移動可能に支持される。少なくとも１つの支持レールの少なくとも一部は層流吹き出し口の下流に配置される。支持レールの少なくとも一部を覆うための少なくとも１つのレールカバー１２４が提供される。レールカバーは、上記実施例のうちの１つに係る空気力学的レールカバーとして提供される。
【０１２４】
少なくとも１つの層流吹き出し口は、患者台１２６に向かう気流を提供するように構成される。
【０１２５】
一例では、図５に示されるように、各レールに２つのカバーセグメント１２８、１３０が設けられる。２つのカバーセグメントのうちの一方は、固定レールカバーセグメントを提供するために支持レールに固定取り付けされ、２つのカバーセグメントのうちの他方は移動可能な態様でレール上に配置される。例えば、カバーセグメントは一時的に遠ざけられた後、元の位置に戻され得る。言い換えれば、調整可能なレールカバーセグメントが提供される。図５では、カバーセグメント１２８は矢印１３２で示されるように移動可能である。カバーセグメント１３０は固定されている。例えば、調整可能なレールカバーセグメントは可動カバーセグメントとして提供される。可動カバーセグメント１２８は、図６ａおよび図６ｂに示されるように、固定レールカバーセグメント１３０内に少なくとも部分的に挿入可能である。別の選択肢では、固定レールカバーセグメントが可動カバーセグメント内に少なくとも部分的に挿入可能である。２つのカバーセグメントは伸縮自在カバーコンポーネントを形成する。
【０１２６】
図５では、天井吊り下げディスプレイ（詳細には図示されていない）およびインターフェース構成部１３４などのさらなる機器も示されている。
【０１２７】
図５において、矢印１３６は、キャリッジ１２２がレール１２０に沿って移動され得る長手方向の範囲を示す。矢印１３８は、レール１２０に沿ったキャリッジ１２２の可動性を示す。
【０１２８】
可動カバーセグメント１２８は可動ＡＲＣと呼ばれ、固定カバーセグメント１３０は固定ＡＲＣドックと呼ばれ得る。
【０１２９】
図６ａおよび図６ｂは、調整可能な層流の場をもたらすレールカバーを備えたレール構成部を示す。図６ａは、第１のポジションにあるＸ線撮像システムのためのキャリッジを示し、図６ｂは、各カバーセグメントの位置が変更された第２のポジションにあるキャリッジを示す。
【０１３０】
詳細には示されていない別の例では、レールカバーコンポーネントは、複数の伸縮自在カバー要素を備えた少なくとも１つの伸縮自在カバーセグメントを備える調整可能なレールカバーコンポーネントである。加えて、または代替として、レールカバーコンポーネントは、少なくとも１つのベローズ（蛇腹）カバーセグメントを備える調整可能なレールカバーコンポーネントである。
【０１３１】
変形例として、やはり詳細には示されていないが、調整可能なカバーコンポーネントの一端は固定されるように構成される一方、他端は変位可能なように構成されることで、長さを調整可能なレールカバーコンポーネントが提供される。
【０１３２】
可動レールカバーのさらに別の例では、カバーはハーモニック折りたたみレールカバーである。この実施形態では、ＡＲＣの長さは、レールを覆うフレキシブルな（ふいごのような）バッグの圧縮または拡張によって変更され得る。折りたたみＡＲＣの外形は、上記および下記で説明されるものと同様の形状であるが、互いに折りたたみ（圧縮）または展開（拡張）可能な複数の小さなセグメントで構成されている。
【０１３３】
さらに図示されていない例では、医用撮像システムを備えた手術室のための層流システムが提供される。気流システムは、少なくとも１つの層流プレナムを提供するように構成された少なくとも１つの層流吹き出し口を備える。少なくとも１つの層流吹き出し口は、患者台に向かう気流を提供するように構成される。医用撮像システムの天井取り付け支持構成部の支持レールは、層流吹き出し口の下流に、または層流プレナムに隣接して配置され得る。支持レールの少なくとも一部を覆うための少なくとも１つのレールカバーが設けられ、レールカバーは、上記および下記の例のうちの１つに係る空気力学的レールカバーとして提供される。
【０１３４】
「層流プレナム」という用語は、層流が天井から所定の手術領域プレナムへと下向きに供給される手術室内の領域を指す。層流は、好ましくは、清浄な空気（例えば、無菌空気）の流れを提供する。これは、例えば周囲からの汚染された空気による患者の感染のリスクを最小限に抑えるのを助ける。
【０１３５】
追加でまたは代替的に提供される別の例では（同様にさらに図示されない）、層流を持つ手術室のための医用撮像システムが提供される。撮像システムは、線源および検出器を備えた画像取得構成部を備える。撮像システムはさらに、少なくとも１つの支持レールと、支持レールの少なくとも一部に沿って移動可能なキャリッジとを備えた天井取り付け支持構成部を備える。撮像システムはさらに、支持レールの少なくとも一部を覆うための少なくとも１つのレールカバーを備える。線源および検出器の少なくとも一方は、キャリッジによって移動可能に支持される。少なくとも１つの支持レールの少なくとも一部は、層流吹き出し口の下流に、または層流吹き出し口によって提供される層流プレナムに隣接して配置され得る。レールカバーは、上記および下記の実施例のうちの１つに係る空気力学的レールカバーとして提供される。
【０１３６】
図７は、医用撮像システム１４２および層流システム１４４を備えた手術室１４０の斜視図を概略的に示す。（空気力学的レールカバーで覆われている）レールは天井面に配置される。患者台１４６が、さらなる撮像または検査機器とともに設けられる。参照番号１４８で示される空気力学的レールカバーは、隣接する２つの層流ダウンフローの場の再結合により、患者台の高さにおいて連続的な層流の場が提供されるという結果をもたらす。
【０１３７】
図８は、気流場シミュレーション１５０の垂直断面図であり、天井取り付けレール１５４に部分的に配置された２つのレールカバー１５２がともに示されている。下方に層流の場を生成するための３つのボックス１５６、１５８、１６０が配置されている。ボックスの下方の領域は２つのレール１５４によって分離されている。しかし、２つのレールカバー１５２を空気力学的レールカバーとして提供することにより、レールの下方には再確立された層流１６２が提供される。同じくシミュレーションからわかるように、層流ダウンフローは、前処理または前調整されたものが供給され得る手術台のための領域を提供する。周囲の空気は層流場に侵入しない。レールが設置されている遮断された領域では、空気力学的レールカバーによって再確立された層流がもたらされる。
【０１３８】
図９は、手術室のために層流を提供する方法２００を示す。方法は以下のステップを含む。
【０１３９】
ステップａ）とも呼ばれる第１のステップ２０２において、第１の層流プレナムおよび第２の層流プレナムが提供される。第１および第２のプレナムは、層流のない領域によって互いに分離されているか、または少なくとも、第１および第２のプレナムの間の領域において妨害されている。
【０１４０】
ステップｂ）とも呼ばれる第２のステップ２０４において、第１の層流の境界部分は、空気ガイド面の第１の面部分に沿って案内され、第２の層流の境界部分は、空気ガイド面の第２の面部分に沿って案内される。第１の面部分および第２の面部分は、それぞれ第１のプレナムおよび第２のプレナムに近い各開始縁から共通の後縁まで延びており、第１の面部分および第２の面部分、並びに後縁は、層流のない領域の一部を覆う空気ガイドを形成する。レールカバーコンポーネントは、医用撮像システムの天井取り付け支持構成部の支持レールに移動可能に取り付けられるように構成される。
【０１４１】
図１０は、カバー支持のためのスライドガイドレール構成部を備えた実施例の断面図を示す。第１のカバーセグメント３０２は、第２のカバーセグメント３０４の上を移動できるように、より大きな断面積を有する。さらに、撮像システムの天井支持レール３０６が示されている。スライドガイドレール構成部３０８は、支持レール３０６の長手方向の各側面に沿って配置されるカバー支持ガイドレールを備える。第１のカバーセグメント３０２のために第１のカバー支持ガイドレール３１０が提供され、第２のカバーセグメント３０４のために第２のカバー支持ガイドレール３１２が提供される。
【０１４２】
さらなる第１および第２のカバー支持ガイドレール３１０ａ、３１２ａが反対側に設けられる。したがって、レールカバーコンポーネントは、カバー支持ガイドレールからスライド可能に吊り下げられている。
【０１４３】
図１１は、キャリッジ、および各支持レールに２つのカバーセグメントを備えた撮像システムの天井支持レールの底面図を示す。
【０１４４】
２つのカバーセグメントが設けられる。第１のカバーセグメント３１４はより大きい断面積を有する一方、第２のカバーセグメント３１６はより小さい断面積を有し、第１のカバーセグメントの中または下に移動可能である。調整可能なレールカバーセグメントを提供するために、少なくとも１つのカバーセグメントが一時的に変位可能な態様でレール上に配置可能である。一方のカバーセグメントは他方のカバーセグメントに少なくとも部分的に挿入可能である。一対の支持レール３２０が設けられ、それらに沿ってキャリッジ３２２が第１の移動矢印３２４で示されるように移動する。また、天井領域からの層流の場３２６が示されている。キャリッジ３２２が層流の場３２６に向かって動かされると、プッシュ矢印３２８で示されるように、第２のカバーセグメント３１６が脇に押しやられる。第１のカバーセグメント３１４および第２のカバーセグメント３１６は略等しい長さを有する。
【０１４５】
一例では、図１１および図１２にも示されるように、支持レール３２０は、層流吹き出し口の外側境界、すなわち層流の場３２６の境界を横断する。空気力学的レールカバーは少なくとも２つのセグメントを含み、そのうちの少なくとも１つは外側可動セグメントとして提供される。さらに、この少なくとも１つの外側可動セグメントは、層流吹き出し口の外側境界の領域に配置可能である。
【０１４６】
図１２は、キャリッジ、および各支持レールに３つのカバーセグメントを備えた撮像システムの天井支持レールのさらなる例の底面図を示す。
【０１４７】
３つのカバーセグメント、すなわち、第１の外側セグメント３３０、中間セグメント３３２、または内側セグメント、および第２の外側セグメント３３４が設けられる。２つの外側セグメント３３０、３３４のうちの少なくとも１つは外側可動セグメントとして提供される。図１２に示す選択肢では、２つの外側セグメント３３０、３３４の両方が外側可動セグメントとして提供される。図示されていないある選択肢では、２つの外側セグメントのうちの一方のみが外側可動セグメントとして提供され、２つの外側セグメントのうちの他方は外側静止セグメントとして提供される。
【０１４８】
同様に図１２に示されるさらなる選択肢では、中間セグメントは中間可動セグメントとして提供される。図示されていないある選択肢では、中間セグメントは中間静止セグメントとして提供される。
【０１４９】
ある選択肢では２つ以上の中間セグメントが提供される。
【０１５０】
一例では、キャリッジに最も近いセグメントおよび中間セグメント（またはセクション）は移動可能であるが、キャリッジから最も遠位のセグメントは固定であり得る（図１１に示される２つのセグメントを備える構成と同様）。
【０１５１】
互いに入り込むことができるよう、２つの外側セグメントはより広い断面積を有する。例えば、少なくとも１つの外側可動セグメントは中間セグメントの上に移動することができる。または、中間セグメントは外側セグメント内に移動することができる。または、両方が相対的に移動可能である。
【０１５２】
外側セグメントが外側静止セグメントの場合、中間セグメントは、外側静止セグメントの下に移動できる中間可動セグメントである。
【０１５３】
中間セグメントが中間静止セグメントの場合、外側セグメントは、外側静止セグメントの上に移動できる外側可動セグメントである。
【０１５４】
キャリッジ３２２が層流の場３２６に向かって動かされると、プッシュ矢印３３６で示されるように、第１の外側セグメント３３０が脇に押しやられ、中間セグメントの上に移動する。さらに押されると、中間セグメント３３２も第２の外側セグメント３３４内に押し込まれる（３３８）。さらに、第２の外側セグメント３３４も押され得る（３４０）。各外側セグメントは中間セグメントの略半分の長さを有する。なお、キャリッジの必要な移動距離に応じて、第２の外側セグメント３３４は静止したままであるように設計されてもよいことに留意されたい。
【０１５５】
図１３は図１２の例の斜視図を示す。カバーセグメントに加えて、スライドガイドレール構成部３０８も示されている。
【０１５６】
本発明の実施形態は、異なる主題を参照して説明されていることに留意されたい。特に、一部の実施形態は方法タイプのクレームを参照して記載される一方、他の実施形態は装置スタイプのクレームを参照して記載される。しかし、当業者は上記および下記の説明から、特に明記されない限り、１つのタイプの主題に属する特徴の組み合わせに加えて、異なる主題に関連する特徴の任意の組み合わせが、この出願に開示される解されることを理解するであろう。ただし、機能の単純な相加以上の相乗効果を提供するよう全ての機能が組み合わせ可能である。
【０１５７】
本発明は、図面および上記において詳細に図示および記載されているが、かかる図示および記載は説明的または例示的であり、非限定的であると考えられるべきである。本発明は、開示の実施形態に限定されない。開示の実施形態の他の変形例が、図面、開示、および従属請求項から、クレームされる発明に係る当業者によって理解および実施され得る。
【０１５８】
特許請求の範囲において、「含む」という用語は他の要素またはステップを排除するものではなく、単数形は複数を除外しない。単一のプロセッサまたは他のユニットが、請求項に記載される複数のアイテムの機能を果たし得る。複数の手段が互いに異なる従属請求項に記載されているからといって、これらの手段の組み合わせが好適に使用することができないとは限らない。特許請求の範囲内のいかなる参照符号も、その範囲を限定するものと解釈されるべきではない。
【図１ａ】
2021506435.tif 000003
【図１ｂ】
2021506435.tif 000004
【図２】
2021506435.tif 000005
【図３】
2021506435.tif 000006
【図４】
2021506435.tif 000007
【図５】
2021506435.tif 000008
【図６ａ】
2021506435.tif 000009
【図６ｂ】
2021506435.tif 000010
【図７】
2021506435.tif 000011
【図８】
2021506435.tif 000012
【図９】
2021506435.tif 000013
【図１０】
2021506435.tif 000014
【図１１】
2021506435.tif 000015
【図１２】
2021506435.tif 000016
【図１３】
2021506435.tif 000017
【国際調査報告】
2021506435.tif 000018
2021506435.tif 000019